(57)【要約】【課題】幼児のやけど事故を極めて効果的に防止することが可能なウォーターサーバーを提供する。【解決手段】開弁許容位置と開弁阻止位置との間を移動可能に設けられた開弁阻止部材４５と、開弁阻止部材４５を移動させるためにユーザーが操作するチャイルドロック解除ボタン４７と、差込口６０に差し込まれた鍵部材３０を操作することで通常チャイルドロック位置と完全チャイルドロック位置との間で移動するスイッチ部材４８とを有する鍵付きウォーターサーバーを提供する。【選択図】図４
2018104037.tif 000002
【特許請求の範囲】
【請求項１】
筐体（１）と、
前記筐体（１）の内部に配置された温水タンク（５）と、
前記温水タンク（５）内の高温の飲料水を前記筐体（１）の外部に注出する温水注出路（６）と、
前記温水注出路（６）を開閉する温水注出弁（７）と、
前記温水注出弁（７）の弁体（４０）が閉弁位置から開弁位置に移動するのを許容する開弁許容位置と、前記温水注出弁（７）の弁体（４０）が閉弁位置から開弁位置に移動するのを阻止する開弁阻止位置との間を移動可能に設けられた開弁阻止部材（４５）と、
前記開弁阻止部材（４５）を、前記開弁阻止位置から前記開弁許容位置に移動させるためにユーザーが操作するチャイルドロック解除ボタン（４７）と、
前記筐体（１）から独立して持ち運ぶことができるように構成された鍵部材（３０）と、
前記鍵部材（３０）が差し込まれる差込口（６０）を有し、その差込口（６０）に差し込まれた前記鍵部材（３０）を操作することで、前記開弁阻止部材（４５）が前記開弁阻止位置から前記開弁許容位置に移動するのを許容する通常チャイルドロック位置と、前記開弁阻止部材（４５）が前記開弁阻止位置から前記開弁許容位置に移動するのを阻止する完全チャイルドロック位置との間で移動するスイッチ部材（４８）と、
を有する鍵付きウォーターサーバー。
【請求項２】
前記スイッチ部材（４８）が前記完全チャイルドロック位置にある状態で、前記差込口（６０）から抜け出る方向の前記鍵部材（３０）の移動を許容する鍵通路（６６）と、
前記スイッチ部材（４８）が前記通常チャイルドロック位置にある状態で、前記差込口（６０）から抜け出る方向の前記鍵部材（３０）の移動を阻止するガイド壁（６４）と、
を更に有する請求項１に記載の鍵付きウォーターサーバー。
【請求項３】
前記スイッチ部材（４８）は、前記差込口（６０）を外周に有する円筒状の部材であり、
前記ガイド壁（６４）は、前記スイッチ部材（４８）が前記通常チャイルドロック位置にある状態でスイッチ部材（４８）の外周の前記差込口（６０）の部分と径方向に対向して設けられた壁であり、
前記鍵部材（３０）は、前記差込口（６０）に差し込まれたときに前記差込口（６０）から径方向内方に延びるストレート部（３４）と、そのストレート部（３４）の径方向外端から前記ガイド壁（６４）に沿って軸方向に延びる屈曲部（３３）とを有する、
請求項２に記載の鍵付きウォーターサーバー。
【請求項４】
前記スイッチ部材（４８）は、前記開弁阻止部材（４５）を前記開弁許容位置に保持するチャイルドロック解除保持位置に更に移動可能とされている請求項１から３のいずれかに記載の鍵付きウォーターサーバー。
【請求項５】
前記スイッチ部材（４８）は、前記チャイルドロック解除ボタン（４７）に操作力を加えた状態では、前記差込口（６０）に差し込まれた前記鍵部材（３０）を操作することで、前記通常チャイルドロック位置からチャイルドロック解除保持位置に移動可能であり、前記チャイルドロック解除ボタン（４７）に操作力が加わっていない状態では、前記通常チャイルドロック位置からチャイルドロック解除保持位置への移動が阻止されるように構成されている請求項４に記載の鍵付きウォーターサーバー。
【発明の詳細な説明】
【技術分野】
【０００１】
この発明は、幼児のやけど事故を極めて効果的に防止することを可能とする鍵付きウォーターサーバーに関する。
【背景技術】
【０００２】
従来、主にオフィスや病院などでウォーターサーバーが利用されてきたが、近年、水の安全や健康への関心の高まりから、一般家庭にもウォーターサーバーが普及しつつある。ウォーターサーバーは、通常、筐体と、その筐体の内部に収容された冷水タンクと、その冷水タンク内の低温の飲料水を筐体の外部に注出する冷水注出路と、その冷水注出路を開閉する冷水注出弁と、その冷水注出弁を開弁するためにユーザーが操作する冷水注出操作部とを有し、この冷水注出操作部を操作することで冷水を利用することができるようになっている。
【０００３】
また、ウォーターサーバーは、筐体の内部に収容された温水タンクと、その温水タンク内の高温の飲料水を筐体の外部に注出する温水注出路と、その温水注出路を開閉する温水注出弁と、その温水注出弁を開弁するためにユーザーが操作する温水注出操作部とを更に有し、この温水注出操作部を操作することで温水を利用することができるようになっているものが多い。
【０００４】
ところで、温水が利用できるタイプのウォーターサーバーにおいては、幼児が不用意にウォーターサーバーを操作して温水を注出するのを防止するため、チャイルドロック機能が設けられている。チャイルドロック機能は、ウォーターサーバーから温水を注出するための操作を、２つ以上の操作の組み合わせとすることにより、幼児が操作しても簡単には温水が注出されないようにしたものである（例えば特許文献１）。
【０００５】
しかしながら、チャイルドロック機能を設けた場合であっても、幼児がいろいろ操作するうちに、温水を注出する操作がたまたま偶然に成立してしまったり、大人が温水を注出するときに行なう操作を幼児が見て真似したりする可能性があったため、幼児が温水を注出してやけどする危険性を完全には無くすことができないという問題があった。
【０００６】
すなわち、温水を注出するための操作を複雑化すればするほど、チャイルドロック機能を強化することができ、幼児のやけど事故をより効果的に防止することが可能となるが、その反面、ユーザーである大人が温水を注出するときの操作が煩雑なものとなり、ウォーターサーバーの利便性が犠牲になってしまう。そのため、チャイルドロック機能を強化するにも限界があり、チャイルドロック機能だけでは、幼児が温水を注出する危険性を完全に無くすことが難しかった。
【先行技術文献】
【特許文献】
【０００７】
【特許文献１】特開２０１４−１６６８６２号公報
【発明の概要】
【発明が解決しようとする課題】
【０００８】
この発明が解決しようとする課題は、幼児のやけど事故を極めて効果的に防止することが可能なウォーターサーバーを提供することである。
【課題を解決するための手段】
【０００９】
上記課題を解決するために、本願の発明者は、以下の構成のウォーターサーバーを提供する。
筐体と、
前記筐体の内部に配置された温水タンクと、
前記温水タンク内の高温の飲料水を前記筐体の外部に注出する温水注出路と、
前記温水注出路を開閉する温水注出弁と、
前記温水注出弁の弁体が閉弁位置から開弁位置に移動するのを許容する開弁許容位置と、前記温水注出弁の弁体が閉弁位置から開弁位置に移動するのを阻止する開弁阻止位置との間を移動可能に設けられた開弁阻止部材と、
前記開弁阻止部材を、前記開弁阻止位置から前記開弁許容位置に移動させるためにユーザーが操作するチャイルドロック解除ボタンと、
前記筐体から独立して持ち運ぶことができるように構成された鍵部材と、
前記鍵部材が差し込まれる差込口を有し、その差込口に差し込まれた前記鍵部材を操作することで、前記開弁阻止部材が前記開弁阻止位置から前記開弁許容位置に移動するのを許容する通常チャイルドロック位置と、前記開弁阻止部材が前記開弁阻止位置から前記開弁許容位置に移動するのを阻止する完全チャイルドロック位置との間で移動するスイッチ部材と、
を有する鍵付きウォーターサーバー。
【００１０】
このようにすると、鍵部材が筐体から独立して持ち運ぶことができるように構成されているので、鍵部材を幼児の手の届かない場所に保管することが可能である。そして、鍵部材が無いかぎり、幼児がウォーターサーバーをいろいろ操作したとしても、チャイルドロック解除ボタンの操作により開弁阻止部材を開弁阻止位置から開弁許容位置に移動させることができず、温水は注出されない。このように、鍵部材を幼児の手の届かない場所に保管することで、幼児のやけど事故を極めて効果的に防止することが可能となる。
【００１１】
前記スイッチ部材が前記完全チャイルドロック位置にある状態で、前記差込口から抜け出る方向の前記鍵部材の移動を許容する鍵通路と、
前記スイッチ部材が前記通常チャイルドロック位置にある状態で、前記差込口から抜け出る方向の前記鍵部材の移動を阻止するガイド壁と、
を更に設けると好ましい。
【００１２】
このようにすると、スイッチ部材が通常チャイルドロック位置にある状態では、差込口から抜け出る方向の鍵部材の移動が、ガイド壁によって規制される。すなわち、鍵部材は、スイッチ部材が通常チャイルドロック位置にあるときに差込口から引き抜くことができず、スイッチ部材が完全チャイルドロック位置にあるときにのみ、差込口から引き抜くことができる。そのため、鍵部材を引き抜いたときは、かならず、スイッチ部材が完全チャイルドロック位置に来ることとなり、鍵部材を引き抜いたときに通常チャイルドロック状態になることが確実に防止され、高い安全性を確保することができる。
【００１３】
上記ウォーターサーバーは、更に以下の構成を加えると好ましい。
前記スイッチ部材は、前記差込口を外周に有する円筒状の部材であり、
前記ガイド壁は、前記スイッチ部材が前記通常チャイルドロック位置にある状態でスイッチ部材の外周の前記差込口の部分と径方向に対向して設けられた壁であり、
前記鍵部材は、前記差込口に差し込まれたときに前記差込口から径方向内方に延びるストレート部と、そのストレート部の径方向外端から前記ガイド壁に沿って軸方向に延びる屈曲部とを有する。
【００１４】
このようにすると、仮に、幼児がまっすぐな棒（鍵部材ではない棒）を差込口に差し込んだとしても、屈曲部をもたない棒はガイド壁に干渉するため、スイッチ部材を完全チャイルドロック位置から通常チャイルドロック位置に移動させることができない。そのため、幼児がまっすぐな棒（爪楊枝など）を用いて完全チャイルドロック状態を解除する事態を防止することができ、高い安全性を確保することができる。一方、鍵部材は屈曲部を有するため、ガイド壁に干渉しない。
【００１５】
前記スイッチ部材は、前記開弁阻止部材を前記開弁許容位置に保持するチャイルドロック解除保持位置に更に移動可能とすると好ましい。
【００１６】
このようにすると、幼児が立ち入ることのない使用環境（例えば会社の会議室など）では、スイッチ部材をチャイルドロック解除保持位置に移動させることにより、温水を注出するときのチャイルドロック解除ボタンの操作を省略することが可能であり、ウォーターサーバーの利便性が更に高いものとなる。
【００１７】
このとき、前記スイッチ部材は、前記チャイルドロック解除ボタンに操作力を加えた状態では、前記差込口に差し込まれた前記鍵部材を操作することで、前記通常チャイルドロック位置からチャイルドロック解除保持位置に移動可能であり、前記チャイルドロック解除ボタンに操作力が加わっていない状態では、前記通常チャイルドロック位置からチャイルドロック解除保持位置への移動が阻止されるように構成すると好ましい。
【００１８】
このようにすると、チャイルドロック解除ボタンに操作力を加えた状態でなければ、スイッチ部材を、通常チャイルドロック位置からチャイルドロック解除保持位置に移動させることができない。そのため、幼児が、スイッチ部材を、通常チャイルドロック位置からチャイルドロック解除保持位置に移動させる事態を防止することができ、安全性が高い。
【発明の効果】
【００１９】
この発明の鍵付きウォーターサーバーは、鍵部材が筐体から独立して持ち運ぶことができるように構成されているので、鍵部材を幼児の手の届かない場所に保管することが可能である。そして、鍵部材が無いかぎり、幼児がウォーターサーバーをいろいろ操作したとしても、チャイルドロック解除ボタンの操作により開弁阻止部材を開弁阻止位置から開弁許容位置に移動させることができず、温水は注出されない。このように、鍵部材を幼児の手の届かない場所に保管することで、幼児のやけど事故を極めて効果的に防止することが可能となる。
【図面の簡単な説明】
【００２０】
【図１】この発明の実施形態の鍵付きウォーターサーバーの断面図
【図２】図１に示すウォーターサーバーの冷水注出弁および温水注出弁の近傍を、ウォーターサーバーの前面側からみた図
【図３】図１に示す筐体から取り外した状態を示す鍵部材の拡大斜視図
【図４】図２のIV−IV線に沿った断面図
【図５】図４のチャイルドロック解除ボタンの近傍を拡大して示す拡大断面図
【図６】図５のVI−VI線に沿った断面図
【図７】図５のVII−VII線に沿った断面図
【図８】図５のVIII−VIII線に沿った断面図
【図９】図５に示すチャイルドロック解除ボタンを押圧し、弁棒を上昇させた状態を示す図
【図１０】図９に示す状態のときの温水注出弁の全体を示す断面図
【図１１】図２に示す温水注出弁を完全チャイルドロック状態にした図
【図１２】図１１のXII−XII線に沿った断面図
【図１３】図１２のXIII−XIII線に沿った断面図
【図１４】図１２のXIV−XIV線に沿った断面図
【図１５】図２に示す温水注出弁をチャイルドロック解除保持状態にした図
【図１６】図１５のXVI−XVI線に沿った断面図
【図１７】図１６のXVII−XVII線に沿った断面図
【図１８】図１６のXVIII−XVIII線に沿った断面図
【図１９】図２に示す冷水注出弁の断面図
【発明を実施するための形態】
【００２１】
図１に、この発明の実施形態の鍵付きウォーターサーバーを示す。このウォーターサーバーは、床面Ｆに載置された筐体１と、筐体１の内部に収容された冷水タンク２と、冷水タンク２内の低温の飲料水を筐体１の外部に注出する冷水注出路３と、冷水注出路３を開閉する冷水注出弁４と、筐体１の内部に収容された温水タンク５と、温水タンク５内の高温の飲料水を筐体１の外部に注出する温水注出路６と、温水注出路６を開閉する温水注出弁７とを有する。
【００２２】
筐体１は、上下方向に延びる筒部１０と、筒部１０の上端を塞ぐように設けられた天板１１と、筒部１０の下端を塞ぐように設けられた底板１２とを有する。筒部１０は、左右一対の側面板１３と、側面板１３の前縁同士を連結する前面板１４と、側面板１３の後縁同士を連結する後面板１５とで構成されている。
【００２３】
筐体１の天板１１には、交換式の原水容器１６が着脱可能にセットされている。原水容器１６は、水出口１７を下向きにした姿勢で天板１１に載置される。原水容器１６の容量は、満水状態で１０〜２０リットル程度である。この原水容器１６は、内部の残水量の減少に伴って収縮するように柔軟性をもたせて形成されている。天板１１には、原水容器１６から冷水タンク２に飲料水を導入する原水導入管１８が設けられている。
【００２４】
原水導入管１８の一端は原水容器１６に着脱可能に接続され、原水導入管１８の他端は冷水タンク２に固定して接続されている。原水導入管１８の冷水タンク２側の端部には、冷水タンク２内の水位に応じて開閉するフロートバルブ１９が設けられている。原水容器１６として、内部の残水量が減少しても変形しないように剛性をもたせて形成したタイプのものを採用する場合、フロートバルブ１９は不要である。この場合は、冷水タンク２内の水位が原水導入管１８の冷水タンク２側の端部と同じ高さとなる。筐体１の上部には、原水容器１６を覆う化粧カバー２０が取り付けられている。
【００２５】
冷水タンク２は、空気と飲料水を上下二層に収容している。冷水タンク２には、冷水タンク２内に収容された飲料水を冷却する冷却装置２１が取り付けられている。また、冷水タンク２内には、冷水タンク２の内部を上下に仕切るバッフル板２２が設けられている。冷却装置２１は、冷水タンク２内のバッフル板２２よりも下方の飲料水を低温（５℃程度）に保つ。冷水タンク２の飲料水の容量は、原水容器１６の容量よりも小さく、２〜４リットル程度である。
【００２６】
冷水注出路３は、冷水タンク２と、筐体１の前面側に開口する冷水出口２３（図２参照）との間を連通している。冷水注出路３の冷水出口２３の側の端部には、冷水注出弁４が設けられている。冷水注出弁４を開弁すると、冷水タンク２内の低温の飲料水が冷水注出路３を通り、冷水出口２３から注出される。
【００２７】
温水タンク５は、冷水タンク２の下方に配置されている。温水タンク５には、温水タンク５内に収容された飲料水を加熱する加熱装置２４が取り付けられている。加熱装置２４は、温水タンク５内の飲料水を高温（９０℃程度）に保つ。温水タンク５の容量は１〜２リットル程度である。
【００２８】
温水注出路６は、温水タンク５と、筐体１の前面側に開口する温水出口２５との間を連通している。温水注出路６の温水出口２５の側の端部には、温水注出弁７が設けられている。温水注出弁７を開弁すると、温水タンク５内の高温の飲料水が温水注出路６を通り、温水出口２５から注出される。
【００２９】
冷水タンク２と温水タンク５はタンク接続管２６を介して連通している。温水タンク５から飲料水を注出すると、その飲料水と同量の飲料水が、タンク接続管２６を通って冷水タンク２から温水タンク５に流入し、温水タンク５が常に満水状態に保たれるようになっている。
【００３０】
このウォーターサーバーは、幼児が不用意に操作して温水を注出するのを防止するため、通常チャイルドロック機能が設けられている。通常チャイルドロック機能は、温水注出弁７を開弁するための操作を、２つ以上の操作の組み合わせ（具体的には、後述のチャイルドロック解除ボタン４７の操作と、温水注出操作レバー４３の操作との組み合わせ）とすることにより、幼児が操作しても簡単には温水注出弁７が開弁しないようにしたものである。
【００３１】
さらに、このウォーターサーバーは、もし幼児がウォーターサーバーをいろいろ操作したとしても、温水の注出が確実に防止されるようにするため、上記の通常チャイルドロック機能に加えて、持ち運び可能な鍵部材３０を用いた完全チャイルドロック機能が設けられている。この完全チャイルドロック機能は、図３に示す鍵部材３０が有るときだけ、外部操作（チャイルドロック解除ボタン４７および温水注出操作レバー４３の操作）による温水注出弁７の開弁を許容し、鍵部材３０が無い状態では、外部操作で温水注出弁７を開弁させることができないようにする機能である。
【００３２】
図３に示すように、鍵部材３０は、摘み部３１から先端に向かって順に、摘み部３１、摘み側ストレート部３２、屈曲部３３、先端側ストレート部３４を有する。摘み部３１は、ユーザーが鍵部材３０を操作するときに指で摘む部分である。摘み側ストレート部３２と先端側ストレート部３４は、いずれも真っ直ぐ延びるように形成され、摘み側ストレート部３２の端部と先端側ストレート部３４の端部が屈曲部３３を介して連結されている。
【００３３】
図４に示すように、温水注出弁７は、温水注出路６を閉じる閉弁位置（図４参照）と、温水注出路６を開く開弁位置（図１０参照）との間で移動可能に設けられた弁体４０と、弁体４０を開弁位置から閉弁位置に付勢するバルブスプリング４１と、弁体４０と一体に移動するように弁体４０に固定された弁棒４２と、温水を注出するためにユーザーが操作する温水注出操作レバー４３とを有する。温水注出操作レバー４３は、連結ピン４４を介して弁棒４２に連結され、温水注出操作レバー４３を操作することで弁体４０を閉弁位置から開弁位置に移動させることが可能となっている。
【００３４】
また、温水注出弁７は、弁体４０が閉弁位置から開弁位置に移動するのを阻止する開弁阻止位置（図４参照）と温水注出弁７の弁体４０が閉弁位置から開弁位置に移動するのを許容する開弁許容位置（図１０参照）との間を移動可能に設けられた開弁阻止部材４５と、開弁阻止部材４５を開弁許容位置から開弁阻止位置に付勢するロックスプリング４６と、開弁阻止部材４５を開弁阻止位置から開弁許容位置に移動させるためにユーザーが操作するチャイルドロック解除ボタン４７と、チャイルドロック解除ボタン４７が操作可能な状態と操作不能な状態とを切り替えるスイッチ部材４８とを有する。
【００３５】
弁棒４２は、上下方向に延びるように配置され、上下に移動可能に支持されている。弁体４０が閉弁位置から開弁位置に移動するとき、弁棒４２は上方に移動し、弁体４０が開弁位置から閉弁位置に移動するとき、弁棒４２は下方に移動する。弁棒４２の外周には、下側が大径となる段部４９が形成されている。開弁阻止部材４５には、弁棒４２を挿通させる上下方向の貫通孔５０が形成されている。開弁阻止部材４５が開弁阻止位置（図４参照）にあるとき、開弁阻止部材４５の貫通孔５０の縁が、弁棒４２の外周の段部４９に係合して弁棒４２の上方への移動を阻止し、開弁阻止部材４５が開弁許容位置（図１０参照）にあるとき、開弁阻止部材４５の貫通孔５０は、弁棒４２の外周の段部４９を通過させて弁棒４２の上方への移動を許容するようになっている。
【００３６】
図５に示すように、チャイルドロック解除ボタン４７は、フォーセットケース５１の前面側に開口するボタン収容孔５２にスライド可能に収容されたボタン本体５３と、ボタン本体５３から後方に延びるようにボタン本体５３と一体に形成されたプランジャ５４とを有する。プランジャ５４は、スイッチ部材４８に形成された軸方向の貫通孔５５を挿通し、スイッチ部材４８から軸方向後方に突出している。プランジャ５４の後端は、開弁阻止部材４５に接触している。チャイルドロック解除ボタン４７を押圧して軸方向後方に移動させたとき、開弁阻止部材４５は、プランジャ５４で押圧され、チャイルドロック解除ボタン４７と一体に後方に移動する。
【００３７】
図６に示すように、スイッチ部材４８は、鍵部材３０が差し込まれる差込口６０を外周に有する円筒状の部材であり、ホルダ部材６１で回動可能に支持されている。スイッチ部材４８は、通常チャイルドロック位置（図６参照）と完全チャイルドロック位置（図１３参照）とチャイルドロック解除保持位置（図１７参照）との間で周方向に移動可能とされている。チャイルドロック解除ボタン４７のプランジャ５４の外周には突起６２が設けられ、スイッチ部材４８の貫通孔５５の内周には、突起６２を軸方向にスライド可能に係合させる軸方向の溝６３が形成されている。この突起６２と溝６３の係合によって、チャイルドロック解除ボタン４７は、スイッチ部材４８と一体に回動するようになっている。
【００３８】
ホルダ部材６１には、スイッチ部材４８が通常チャイルドロック位置にある状態で、差込口６０から抜け出る方向の鍵部材３０の移動を阻止するガイド壁６４が設けられている。ガイド壁６４は、スイッチ部材４８が通常チャイルドロック位置にある状態でスイッチ部材４８の外周の差込口６０の部分と径方向に対向して設けられた壁である。ガイド壁６４とスイッチ部材４８の外周との間には、円弧状に延びる通路６５が形成され、この通路６５を鍵部材３０の屈曲部３３が周方向に移動可能となっている。
【００３９】
また、図１３に示すように、フォーセットケース５１とホルダ部材６１には、スイッチ部材４８が完全チャイルドロック位置にある状態で、差込口６０から抜け出る方向の鍵部材３０の移動を許容する鍵通路６６が形成されている。鍵通路６６は、円弧状の通路６５の周方向端部から径方向外方に直線状に延びている。
【００４０】
図５に示すように、鍵部材３０の先端側ストレート部３４は、鍵部材３０が差込口６０に差し込まれた状態で、差込口６０から径方向内方に延びている。屈曲部３３は、先端側ストレート部３４の径方向外端からガイド壁６４に沿って軸方向に延びている。また、フォーセットケース５１とホルダ部材６１には、摘み側ストレート部３２を軸方向の対向面間で周方向に移動可能に収容するスリット６７が形成されている。
【００４１】
図７に示すように、チャイルドロック解除ボタン４７のボタン本体５３の外周には、複数の径方向突起６８が周方向に間隔をおいて設けられている。ホルダ部材６１には、ボタン本体５３の複数の径方向突起６８に対応する複数のストッパ突起６９が周方向に間隔をおいて設けられている。ストッパ突起６９は、スイッチ部材４８が通常チャイルドロック位置（図６参照）にあるときは、図７に示すように、軸方向に見てボタン本体５３の径方向突起６８とずれた位置関係となり、チャイルドロック解除ボタン４７の軸方向後方への移動を許容するが、スイッチ部材４８が完全チャイルドロック位置（図１３参照）にあるときは、図１４に示すように、軸方向に見てボタン本体５３の径方向突起６８と重なった位置関係となり、ボタン本体５３の径方向突起６８を軸方向後側から受け止めることで、チャイルドロック解除ボタン４７の軸方向後方への移動を阻止する。
【００４２】
図５に示すように、スイッチ部材４８の開弁阻止部材４５に対する軸方向の対向面には、周方向に間隔をおいて複数の柱状突起７０が形成されている。また、開弁阻止部材４５のスイッチ部材４８に対する軸方向の対向面にも、周方向に間隔をおいて複数の柱状突起７１が形成されている。
【００４３】
図８に示すように、スイッチ部材４８の柱状突起７０の側面は、開弁阻止部材４５の柱状突起７１の側面と周方向に対向しており、柱状突起７０の側面が柱状突起７１の側面に接触することで、スイッチ部材４８の通常チャイルドロック位置からチャイルドロック解除保持位置への移動が規制された状態となっている。開弁阻止部材４５は、ホルダ部材６１に形成された支持孔７２（図５参照）の内面で、軸方向にスライド可能かつ回り止めした状態に支持されている。
【００４４】
この鍵付きウォーターサーバーの使用例を説明する。
【００４５】
＜完全チャイルドロック状態＞
図１１、図１２、図１３に示すように、鍵部材３０を操作し、スイッチ部材４８を完全チャイルドロック位置に移動させた状態では、チャイルドロック解除ボタン４７を押圧しても、チャイルドロック解除ボタン４７を押し動かすことができず、チャイルドロックを解除することができない。
【００４６】
すなわち、スイッチ部材４８が完全チャイルドロック位置にあるとき、図１４に示すように、チャイルドロック解除ボタン４７のボタン本体５３の径方向突起６８がストッパ突起６９と重なる配置となるため、チャイルドロック解除ボタン４７を押圧しても、チャイルドロック解除ボタン４７を移動させることができず、図１２に示すように、開弁阻止部材４５が開弁阻止位置から開弁許容位置に移動するのが阻止された状態となる。つまり、チャイルドロック解除ボタン４７と温水注出操作レバー４３の操作では、温水を注出することができない。
【００４７】
このとき、図１３に示すように、差込口６０の位置と鍵通路６６の位置が一直線上に並ぶため、鍵部材３０を差込口６０から引き抜くことが可能となる。そして、引き抜いた鍵部材３０を幼児の手の届かない場所に保管することで、幼児のやけど事故を極めて効果的に防止することが可能となる。すなわち、鍵部材３０が無いかぎり、幼児がウォーターサーバーをいろいろ操作したとしても、チャイルドロック解除ボタン４７の操作により開弁阻止部材４５を開弁阻止位置から開弁許容位置に移動させることができず、幼児による温水の注出を確実に防止することができる。
【００４８】
ここで、図１３に示す鍵部材３０が差込口６０から引き抜かれた状態で、幼児がまっすぐな棒（鍵部材３０ではない棒）を差込口６０に差し込んだとしても、屈曲部３３をもたない棒はガイド壁６４に干渉するため、スイッチ部材４８を完全チャイルドロック位置から通常チャイルドロック位置に移動させることができない。そのため、幼児がまっすぐな棒（爪楊枝など）を用いて完全チャイルドロック状態を解除する事態を防止することができ、高い安全性を確保することが可能となっている。一方、鍵部材３０は屈曲部３３を有するため、差込口６０に差し込んだ状態で周方向に移動させても、ガイド壁６４に干渉しない。
【００４９】
＜通常チャイルドロック状態＞
差込口６０に差し込んだ鍵部材３０を操作することで、スイッチ部材４８を完全チャイルドロック位置（図１３参照）から通常チャイルドロック位置（図６参照）に移動させる。この状態では、チャイルドロック解除ボタン４７を押し動かすことが可能となる。
【００５０】
すなわち、図６に示すように、スイッチ部材４８が通常チャイルドロック位置にあるとき、図７に示すように、チャイルドロック解除ボタン４７のボタン本体５３の径方向突起６８が、ストッパ突起６９の位置からずれた状態となり、ストッパ突起６９によるチャイルドロック解除ボタン４７の移動の規制が解除されるため、チャイルドロック解除ボタン４７の操作により、開弁阻止部材４５が開弁阻止位置から開弁許容位置に移動するのが許容された状態となる。この状態では、チャイルドロック解除ボタン４７を押しながら温水注出操作レバー４３を操作することで、温水を注出することが可能である。
【００５１】
＜チャイルドロック解除保持状態＞
幼児が立ち入ることのない使用環境（例えば会社の会議室など）では、図１６に示すように、チャイルドロック解除ボタン４７を押し込み、その状態で図１５に示すように鍵部材３０を操作して、スイッチ部材４８を通常チャイルドロック位置（図６参照）からチャイルドロック解除保持位置（図１７）に移動させる。これにより、図１８に示すように、スイッチ部材４８の柱状突起７０の先端面と、開弁阻止部材４５の柱状突起７１の先端面とが、軸方向に突き合わさった状態となり、図１６に示すように、開弁阻止部材４５が開弁許容位置に保持された状態となる。この状態では、温水を注出するときのチャイルドロック解除ボタン４７の操作を省略することが可能であり、チャイルドロック解除ボタン４７を操作せずに温水注出操作レバー４３を操作するだけで温水を注出することができる。
【００５２】
ここで、スイッチ部材４８を通常チャイルドロック位置（図６参照）からチャイルドロック解除保持位置（図１７）に移動させるとき、チャイルドロック解除ボタン４７に操作力を加えた状態でなければ、図８に示すように、柱状突起７０と柱状突起７１の周方向の対向面が干渉するため、スイッチ部材４８を、通常チャイルドロック位置からチャイルドロック解除保持位置に移動させることができない。そのため、幼児が、スイッチ部材４８を、通常チャイルドロック位置からチャイルドロック解除保持位置に移動させる事態を防止することができ、安全性が高い。
【００５３】
この鍵付きウォーターサーバーは、鍵部材３０が筐体１から独立して持ち運ぶことができるように構成されているので、鍵部材３０を幼児の手の届かない場所に保管することが可能である。そして、鍵部材３０が無いかぎり、幼児がウォーターサーバーをいろいろ操作したとしても、チャイルドロック解除ボタン４７の操作により開弁阻止部材４５を開弁阻止位置から開弁許容位置に移動させることができず、温水は注出されない。このように、鍵部材３０を幼児の手の届かない場所に保管することで、幼児のやけど事故を極めて効果的に防止することが可能である。
【００５４】
また、この鍵付きウォーターサーバーは、図６に示すように、スイッチ部材４８が通常チャイルドロック位置にある状態では、差込口６０から抜け出る方向の鍵部材３０の移動が、ガイド壁６４によって規制される。すなわち、鍵部材３０は、スイッチ部材４８が通常チャイルドロック位置にあるときに差込口６０から引き抜くことができず、図１３に示すように、スイッチ部材４８が完全チャイルドロック位置にあるときにのみ、差込口６０から引き抜くことができる。そのため、鍵部材３０を引き抜いたときは、かならず、スイッチ部材４８が完全チャイルドロック位置に来ることとなり、鍵部材３０を引き抜いたときに通常チャイルドロック状態になることが確実に防止され、高い安全性を確保することができる。
【００５５】
上述の通常チャイルドロック機能および完全チャイルドロック機能は、温水注出弁７だけでなく、冷水注出弁４にも設けることができる。ここで、温水注出弁７と同じ構成を冷水注出弁４に採用する場合、幼児が、冷水注出弁４の鍵部材３０ｃを、温水注出弁７の鍵部材３０として使用する危険性がある。そのような危険性をなくすため、冷水注出弁４の鍵部材３０ｃを、温水注出弁７に用いることができないように構成すると好ましい。そのような構成の鍵部材３０ｃとして、例えば、図１９に示すように、温水注出弁７の鍵部材３０の屈曲部３３よりも径方向厚みを大きく設定した屈曲部３３ｃをもつものを採用することができる。このとき、冷水注出弁４の鍵部材３０ｃの屈曲部３３ｃが通る通路６５ｃの径方向の内幅を、温水注出弁７の鍵部材３０の屈曲部３３が通る通路６５の径方向の内幅よりも大きく設定する。
【００５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５７】
１        筐体
５        温水タンク
６        温水注出路
７        温水注出弁
３０      鍵部材
３３      屈曲部
３４      先端側ストレート部
４０      弁体
４５      開弁阻止部材
４７      チャイルドロック解除ボタン
４８      スイッチ部材
６０      差込口
６４      ガイド壁
６６      鍵通路
【図１】
2018104037.tif 000003
【図２】
2018104037.tif 000004
【図３】
2018104037.tif 000005
【図４】
2018104037.tif 000006
【図５】
2018104037.tif 000007
【図６】
2018104037.tif 000008
【図７】
2018104037.tif 000009
【図８】
2018104037.tif 000010
【図９】
2018104037.tif 000011
【図１０】
2018104037.tif 000012
【図１１】
2018104037.tif 000013
【図１２】
2018104037.tif 000014
【図１３】
2018104037.tif 000015
【図１４】
2018104037.tif 000016
【図１５】
2018104037.tif 000017
【図１６】
2018104037.tif 000018
【図１７】
2018104037.tif 000019
【図１８】
2018104037.tif 000020
【図１９】
2018104037.tif 000021